(57)【特許請求の範囲】
【請求項１】
前後左右に敷き並べて一定の領域を覆うために所定の大きさ及び形状を有し、植物の育成が可能なトレイであって、底板部とその周囲を囲む枠部とから成り、内部に培地材を設置可能な浅い容器状を有し、底板部は多数の凹部と凸部とから成る凹凸構造を有しており、余分な水の排水のための水抜き口を凸部の上面ないし中間部に形成し、それによって内部に貯溜される水位を規定し、内部に設置される培地材の固定のための固定手段を上記の凸部又は凹部に設け、隣接のトレイ同士を結合するジョイントの取り付け部としての小穴又は小突起を底板部の隅、縁辺等に設けて成るコンクリート製又はプラスチック製の緑化用トレイ。
【発明の詳細な説明】
【０００１】
【発明の属する技術分野】
本発明は、前後左右に敷き並べて一定の領域を覆うために所定の大きさ及び形状を有し、植物の育成が可能な緑化用トレイに関するものである。
【０００２】
【従来の技術】
建物の屋上やベランダなどの面を緑化し、都市部の温度上昇を抑制ないし低下させることにより、地球温暖化対策の一助としようという試みが、行政主導によってなされつつある。しかし従来の緑化方法では植物の育成に必要な水の管理がまずいために根腐れを起こすとか、或いは逆に根がはびこるのを防止する対策を講じる必要があるなどといった問題がある。特に防根のためには何層ものルーフィング材を用いる必要があり、経済的にも問題があった。
【０００３】
【発明が解決しようとする課題】
本発明は前記の点に着目してなされたもので、その課題は屋上等の緑化において植物の生育に必要な適量の水と空気を保持することにより植物栽培を容易化することである。また本発明の他の課題は防根の必要性をなくし、施工を容易化して経済的負担を軽減することである。
【０００４】
【課題を解決するための手段】
前記の課題を解決するため本発明は緑化用トレイとして、底板部とその周囲を囲む枠部とから成り、内部に培地材を設置可能な浅い容器状を有し、底板部は多数の凹部と凸部とから成る凹凸構造を有しており、余分な水の排水のための水抜き口を凸部の上面ないし中間部に形成し、それによって内部に貯溜される水位を規定し、内部に設置される培地材の固定のための固定手段を上記の凸部又は凹部に設け、隣接のトレイ同士を結合するジョイントの取り付け部としての小穴又は小突起を底板部の隅、縁辺等に設けて成るコンクリート製又はプラスチック製のものとするという手段を講じたものである。
【０００５】
【発明の実施の形態】
本発明は、前後左右に敷き並べて使用することができ、そのために所定の大きさ、形状を備えており、植物の育成が可能なトレイ構造を有している。トレイ構造とは、本発明において、浅い容器状構造のものを意味し、基本的には不透水性でありかつ防根性を有するものとする。例えば、コンクリート製品や樹脂成形品などは本発明の緑化用トレイとして好適である。
【０００６】
このトレイは従って底板部とその周囲を囲む枠部とから成る浅い容器状のもので、底板部と枠部とによって囲まれた内部に培地材を設置することができる。培地材としては、植物の成育に適した材料である必要があるのはいうまでもないことであるが、その材質であるとか形状、構造については自由に選択することができる。
【０００７】
トレイの底板部は多数の凹部と凸部とから成る凹凸構造を有していることが必要である。凹部は水を最後まで溜める部分となり、凸部の上面は水位を規定する箇所となる。この構造は容器内に対してだけではなく、トレイの下面にも凹凸としてあらわれ、設置面との間に隙き間を形成するので、ここに水が溜まって捌けないという問題を起こさない。
【０００８】
余分な水の排水のための水抜き口と、内部に設置される培地材の固定のための固定手段とを、前記の凹部又は凸部に設ける。水抜き口は凸部の上面に設ける
と、それより下に貯水部及び空気層部を保ちながら余分な水分を排出することができるので好ましい。固定手段は培地材と機械的に結合して固定状態を得るもので、例えば生け花に使用する剣山のように培地材に突き刺さる構造を持つことが望ましい。また固定手段は凸部以外の箇所例えば凹部内、凹部でも凸部でもない中間部に設けても良い。
【０００９】
本発明のトレイは前後左右に敷き並べて使用するが、その際に、隣接のトレイ同士をジョイントによって結合することができる。ジョイントの取り付け部として、小孔又は小突起が底板部の隅等に設けられる。隅等とは、隅又は縁辺の如く外に寄った方ということである。ジョイントは、従って小孔又は小突起と嵌まり合う同様の接続相手を複数箇所有するものとなる。
【００１０】
【実施例】
以下図示の実施例を参照して本発明をより詳細に説明する。図１に本発明の実施例に係る緑化用トレイ１０の平面形を示す。トレイ１０は底板部１１とその周囲を囲む枠部１２とから成る浅い容器状を呈する。図２及び図３参照。
【００１１】
底板部１１は凹部１３と凸部１４とを前後左右に多数交互に配置した凹凸構造を持ち、例示の凸部１４は平坦な上面１５を持ち、凹部１３の外側下面１６はトレイ設置時の支持面となり、凸部１４の外側下面１６′は設置部との間に空間を形成する。さらに凸部１４の上面１５には、水抜き口１８を設け或いは固定手段１９を設けている。水抜き口１８は凸部１４の斜面に設けても良く、また固定手段１９は図示の鋭い円錐突起のように尖っていなくても良い。
【００１２】
図示の例では、凹部１３と凸部１４との間に凹部でも凸部でもない中間部１７があり、特に４隅は中間部１７であるために、その外側下面１６″は設置部から離れた状態となる。この外側下面１６″と設置部との間にできるスペースを利用して、隣接トレイ同士を結合するジョイント２０の取り付け部２１に利用する。図４参照。ジョイント２０は４個の突起を結合部２２として４隅に有しており、縁辺を接して配置されたトレイ１０の取り付け部２１の外側下面１６″に形成された結合相手部２３の凹みに嵌め込む。
【００１３】
結合相手部２３はトレイ内と通じないので外部の水気を内部に引き込むことがない。２４は凹みを設けるための盛り上がりを示す。またジョイント２０は宙に浮くトレイ１０の４隅を支える枕或いは隙間を埋めるスペーサの役目をも果たすので、敷設されたトレイ１０の安定を高める。
【００１４】
このような本発明の緑化用トレイ１０は、例えば図７（ａ）、（ｂ）、（ｃ）及び（ｄ）に示されているような態様で使用される。図７（ａ）は、トレイ内に排水用すの子３０を敷いて凹部１３を貯水部及び空気層保持部に利用しつつ、すの子上に粗粒の排水層（例えばアサノセメント製アサノパーライト）３１を充填し、保水用不織布３２によりトレイ上面を覆い、その上のスペースに培養土層３３を例えば数十センチメートル程度形成したもので、同層３０にはサツキ、ツツジ等の中、低木３４の植栽が可能である。
【００１５】
図７（ｂ）は、芝生用例であり、すの子３０上に微粒の排水層３１′を充填した上、保水用不織布３２を重ね、培養土層３３を薄く形成しそこに芝３５を植えている。図７（ｃ）も芝生用例であるが、すの子を使用せずに必要最小限量の貯水部及び空気層保持部を確保するために、保水用不織布３２を底板部１１に直に敷き、その上に培養土層３３を充填したものである。図７（ｄ）は底板部１１の表面に繊維から成る排水用シート３６を定着一体化し、その上に培養土層３３′として固形土を２重に敷き、セダム類（メキシコマンネングサ等）を成育させる例である。
【００１６】
このように成育に適した培地形成及び水管理が本発明のトレイによって思うままに実施可能になる。特に、従来のシート材などは平底であり、水の逆流があり得るので、植物が窒息状態となるおそれがあった。しかし本発明によればそのような問題は起こらないし、また底板部１１の凹凸構造は培地材と噛み合って安定させるという効果もある。なお、本発明のトレイ材は加圧コンクリート成形により製造したコンクリート製品、プラスチックを型成形したプラスチック製品などとして提供することができる。
【００１７】
【発明の効果】
本発明は以上の如く構成されかつ作用するものであるから、植物の生育に必要な適量の水と空気を保持することができ、植物を確実に栽培可能とするととも
に、防根工事の必要性をなくし施工を容易化することにより、経済的な負担を低減可能となるという効果を奏する。
【図面の簡単な説明】
【図１】本発明に係る緑化用トレイの実施例を示す平面図。
【図２】（ａ）図１のトレイの長手方向の側面図。
（ｂ）図１のＩＩＢ−ＩＩＢ線断面図。
（ｃ）図１のＩＩＣ−ＩＩＣ線断面図。
【図３】（ａ）図１のトレイの木口面の側面図。
（ｂ）図１のＩＩＩＢ−ＩＩＩＢ線断面図。
（ｃ）図１のＩＩＩＣ−ＩＩＩＣ線断面図。
【図４】ジョイント部分の断面図。
【図５】図１のトレイの部分斜視図。
【図６】（ａ）トレイ敷設状態の平面図。
（ｂ）同じく側面図。
【図７】（ａ）中、低木用植栽例を示す本発明に係る断面説明図。
（ｂ）芝生用例を示す。
（ｃ）芝生用例を示す。
（ｄ）セダム類の植栽例を示す。
【図１】
0003667632.tif 000002
【図２】
0003667632.tif 000003
【図３】
0003667632.tif 000004
【図４】
0003667632.tif 000005
【図５】
0003667632.tif 000006
【図６】
0003667632.tif 000007
【図７】
0003667632.tif 000008